(57)【特許請求の範囲】
【請求項１】
映像信号を出力するカラオケ装置と、当該カラオケ装置と有線で高精細度映像インタフェース接続された単一の送信機と、複数のチャンネルのうちの一つである第１のチャンネルで当該送信機と無線で高精細度映像インタフェース接続された複数の受信機と、当該複数の受信機のそれぞれと有線で高精細度映像インタフェース接続されたそれぞれの表示装置とを有するカラオケシステムであって、
前記総ての受信機は、
前記複数のチャンネルについて選択可不可が設定されたテーブルと、
前記第１のチャンネルにおいて干渉波を検出する検出手段と、
前記検出手段が干渉波を検出した場合に、前記複数のチャンネルの中から前記テーブルに基づいて第１のチャンネルとは異なる選択可能となっている第２のチャンネルを選択する選択手段と、
前記送信機より受信した前記テーブルの情報に基づき、自己の備えるテーブルを更新する更新手段と、を備え、
前記複数の受信機のうち、少なくとも一の受信機が、
前記テーブルを編集するための設定用映像を生成して対応する前記表示装置に表示させる設定用映像生成手段と、
前記表示装置に表示された設定用映像に操作が反映されるものであり、前記テーブルにおける前記複数のチャンネルの選択可不可を設定編集するための操作子と、
前記操作子により編集されたテーブルの情報を前記送信機に送信する送信手段と、を備え、
前記送信機は、
前記一の受信機より受信した前記テーブルの情報を、当該テーブル編集した当該受信機以外の受信機の総てに送信する送信手段と、を備える、
ことを特徴とするカラオケシステム。
【請求項２】
映像信号を出力するカラオケ装置と、当該カラオケ装置と有線で高精細度映像インタフェース接続された単一の送信機と、複数のチャンネルのうちの一つである第１のチャンネルで当該送信機と無線で高精細度映像インタフェース接続された複数の受信機と、当該複数の受信機のそれぞれと有線で高精細度映像インタフェース接続されたそれぞれの表示装置とを有するカラオケシステムであって、
前記送信機及び受信機は、前記複数のチャンネルについて選択可不可が設定されたテーブルを備え、
前記送信機は、
前記テーブルを編集するための設定用映像を生成して少なくとも一の受信機に対応する前記表示装置に表示させる設定用映像生成手段と、
前記表示装置に表示された設定用映像に操作が反映されるものであり、前記テーブルにおける前記複数のチャンネルの選択可不可を設定編集するための操作子と、
前記操作子により編集されたテーブルの情報を、前記受信機の総てに送信する送信手段と、を備え、
前記受信機は、
前記送信機より受信した前記テーブルの情報に基づき、自己の備えるテーブルを更新する更新手段と、
前記第１のチャンネルにおいて干渉波を検出する検出手段と、
前記検出手段が干渉波を検出した場合に、前記複数のチャンネルの中から前記テーブルに基づいて第１のチャンネルとは異なる選択可能となっている第２のチャンネルを選択する選択手段と、を備える、
ことを特徴とするカラオケシステム。
【請求項３】
請求項１又は２記載のカラオケシステムであって、前記受信機において、前記テーブルを少なくとも第１のチャンネルを選択可能から選択不可に編集した場合には、総ての受信機を前記テーブルの更新後に再起動させることを特徴とするカラオケシステム。
【発明の詳細な説明】
【技術分野】
【０００１】
本発明は、カラオケ歌唱に際して表示する背景映像等を複数の表示部で表示するカラオケシステムに関する。
【背景技術】
【０００２】
近年、カラオケルームにおいて映像を駆使したサービスが普及している。予め楽曲に合わせて用意された背景映像を再生するだけでなく、利用者が歌唱する様子を撮影し、背景映像としてディスプレイに表示したり、録画し、動画として公開したりするサービスもある。また、広いカラオケルームやカラオケパブには複数の映像モニタが設置される場合が多く、カラオケ装置などの映像出力機器から出力される映像信号を分配して各モニタに入力する必要があるが、映像信号の分配を有線で行うことの配線取り廻しの煩雑さ等を回避するために、ワイヤレスで映像信号を分配することも考えられる。一方で、表示される映像の高精細度が求められており、高精細度の映像信号をワイヤレスで送受信する際の周波数設定の容易性が望まれる。
【０００３】
従来、高精細度の映像信号を伝送する技術として、ＨＤＭＩ（登録商標）と称されて規格化されているインタフェースが普及しており、高精細度の映像データをＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を用いて分配伝送する２ポート、４ポート、８ポート用の分配器も種々知られている。例えば、特許文献１に開示されているＨＤＭＩ分配器もその一つである。
【０００４】
ところで、１台のカラオケ装置に４台のモニタを接続しようとすると、ＨＤＭＩ分配器から４本のＨＤＭＩケーブルをカラオケルーム内で引き廻すことになり、工事手間も必要で見た目もよくないことから、カラオケ装置を１台のワイヤレスＨＤＭＩ送信機とＨＤＭＩケーブルで接続し、当該送信機と４台のワイヤレスＨＤＭＩ受信機を同一周波数の電波を介してワイヤレス接続し、各受信機に対応するモニタとＨＤＭＩケーブルでそれぞれ接続することが考えられる。
【０００５】
例えば、特許文献２には、ＨＤＭＩ無線通信の送信機及び受信機の技術として、アダプタ装置（ＨＤＭＩ送信機）が、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号を第１の無線チャンネルを用いてアダプタ装置（ＨＤＭＩ受信機）に無線送信し、ＤＤＣ（Ｄｉｓｐｌａｙ  Ｄａｔａ  Ｃｈａｎｎｅｌ）下り信号及びＣＥＣ（Ｃｏｎｓｕｍｅｒ  Ｅｌｅｃｔｒｏｎｉｃｓ  Ｃｏｎｔｒｏｌ）下り信号を、第２の無線チャンネルを用いてアダプタ装置（ＨＤＭＩ受信機）に無線送信し、ＤＤＣ上り信号及びＣＥＣ上り信号を含む無線信号を第２の無線チャンネルを用いてアダプタ装置（ＨＤＭＩ受信機）から受信する技術が開示されている。
【０００６】
一方、ＨＤＭＩ無線通信においては、起動直後の送信機と各受信機との通信には、複数のＮｏｎ  ＤＦＳ（Ｄｙｎａｍｉｃ  Ｆｒｅｑｕｅｎｃｙ  Ｓｅｌｅｃｔｉｏｎ）  Ｃｈａｎｎｅｌ（固定的なチャンネル）のうちの予め設定された１チャンネルが使用される。起動後の所定時間（１分ほど）が経過すると、通信チャンネルを複数のＤＦＳ  Ｃｈａｎｎｅｌ（動的な周波数選択が行われるチャンネル）のうちの空いている１チャンネルに変更して通信を行う。
【０００７】
また、使用中のＤＦＳチャンネルにおいて、４台の受信機のうちのいずれかが気象レーダ等の干渉波を検出すると、当該受信機は他の使用可能なＤＦＳチャンネルを探し出し、送信機と他の受信機と共に使用可能なチャンネルに移動させる技術も知られており、例えば、特許文献３には、レーダ等で使用される可能性の小さいチャンネルを過去の履歴から推測して動的周波数選択（ＤＦＳ）を行う通信装置が開示されている。
【０００８】
ところで、ＤＦＳチャンネルの中に、同じカラオケルーム内で使用する他の無線機器、例えば目次本機能付きリモコンなどの通信用に確保しておきたいチャンネルや、将来的な拡張に備えてリザーブしておきたいチャンネルがある場合など、特定のチャンネルのみを空きチャンネルを探す対象（ＤＦＳチャンネル）から外しておきたいというニーズがある。
【先行技術文献】
【特許文献】
【０００９】
【特許文献１】特表２０１４−５０４０８５号公報
【特許文献２】再表ＷＯ２００７／０３７３７９号公報
【特許文献３】特開２０１２−２５３８０７号公報
【発明の概要】
【発明が解決しようとする課題】
【００１０】
しかしながら、ＨＤＭＩ対応の送信機及び各受信機においてＤＦＳチャンネル毎の選択可不可フラグを設定する場合、当該送信機や各受信機には小型化が望まれるために最小限の操作子（ボタン）しか設けることができず、また表示器を備えることも難しく、したがって、複数のＤＦＳチャンネル毎に選択可不可フラグを設定するのは、非常に煩雑な操作となると共に、当該送信機と全受信機について同じ設定を施さねばならないという問題がある。
【００１１】
そこで、本発明は上記課題に鑑みなされたもので、映像データ伝送対象の複数の受信機に対する無線通信チャンネルのうちの移行可能なチャンネルの選択可不可を容易に設定可能とするカラオケシステムを提供することを目的とする。
【課題を解決するための手段】
【００１２】
上記課題を解決するために、請求項１の発明では、映像信号を出力するカラオケ装置と、当該カラオケ装置と有線で高精細度映像インタフェース接続された単一の送信機と、複数のチャンネルのうちの一つである第１のチャンネルで当該送信機と無線で高精細度映像インタフェース接続された複数の受信機と、当該複数の受信機のそれぞれと有線で高精細度映像インタフェース接続されたそれぞれの表示装置とを有するカラオケシステムであって、前記総ての受信機は、前記複数のチャンネルについて選択可不可が設定されたテーブルと、前記第１のチャンネルにおいて干渉波を検出する検出手段と、前記検出手段が干渉波を検出した場合に、前記複数のチャンネルの中から前記テーブルに基づいて第１のチャンネルとは異なる選択可能となっている第２のチャンネルを選択する選択手段と、前記送信機より受信した前記テーブルの情報に基づき、自己の備えるテーブルを更新する更新手段と、を備え、前記複数の受信機のうち、少なくとも一の受信機が、前記テーブルを編集するための設定用映像を生成して対応する前記表示装置に表示させる設定用映像生成手段と、前記表示装置に表示された設定用映像に操作が反映されるものであり、前記テーブルにおける前記複数のチャンネルの選択可不可を設定編集するための操作子と、前記操作子により編集されたテーブルの情報を前記送信機に送信する送信手段と、を備え、前記送信機は、前記一の受信機より受信した前記テーブルの情報を、当該テーブル編集した当該受信機以外の受信機の総てに送信する送信手段と、を備える構成とする。
【００１３】
請求項２の発明では、映像信号を出力するカラオケ装置と、当該カラオケ装置と有線で高精細度映像インタフェース接続された単一の送信機と、複数のチャンネルのうちの一つである第１のチャンネルで当該送信機と無線で高精細度映像インタフェース接続された複数の受信機と、当該複数の受信機のそれぞれと有線で高精細度映像インタフェース接続されたそれぞれの表示装置とを有するカラオケシステムであって、前記送信機及び受信機は、前記複数のチャンネルについて選択可不可が設定されたテーブルを備え、前記送信機は、前記テーブルを編集するための設定用映像を生成して少なくとも一の受信機に対応する前記表示装置に表示させる設定用映像生成手段と、前記表示装置に表示された設定用映像に操作が反映されるものであり、前記テーブルにおける前記複数のチャンネルの選択可不可を設定編集するための操作子と、前記操作子により編集されたテーブルの情報を、前記受信機の総てに送信する送信手段と、を備え、前記受信機は、前記送信機より受信した前記テーブルの情報に基づき、自己の備えるテーブルを更新する更新手段と、前記第１のチャンネルにおいて干渉波を検出する検出手段と、前記検出手段が干渉波を検出した場合に、前記複数のチャンネルの中から前記テーブルに基づいて第１のチャンネルとは異なる選択可能となっている第２のチャンネルを選択する選択手段と、を備える構成とする。
【００１４】
請求項３の発明では、前記受信機において、前記テーブルを少なくとも第１のチャンネルを選択可能から選択不可に編集した場合には、総ての受信機を前記テーブルの更新後に再起動させる構成とする。
【発明の効果】
【００１５】
請求項１，２の発明によれば、カラオケ装置からの映像信号を高精細度映像インタフェース接続された単一の送信機から、第１のチャンネルで当該送信機と無線で高精細度映像インタフェース接続された複数の受信機に送信して対応する表示装置に表示させるもので、総ての受信機が複数のチャンネルについて選択可不可が設定されたテーブルを備え、又は送信機をも上記テーブルを備え、送信機又は少なくとも一の受信機において、テーブルを編集するための設定用映像を生成して表示装置に表示させ、表示された設定用映像で操作子がテーブルにおける複数のチャンネルの選択可不可を設定編集し、編集されたテーブルの情報を送信機が他の受信機又は総ての受信機に送信する構成とすることにより、送信機と複数の受信機を用いて、カラオケ装置と複数の表示装置を無線により高精細度映像インタフェースで接続する際に、容易に複数のチャンネルの選択可不可を設定することができると共に、一度の設定で他の全機器の設定を完了させることができるものである。
【００１６】
請求項３の発明によれば、何れかの受信機において、テーブルを少なくとも第１のチャンネルを選択可能から選択不可に編集した場合に、総ての受信機をテーブルの更新後に再起動させることにより、テーブルの設定編集以外の設定に対する誤動作を回避させることができるものである。
【図面の簡単な説明】
【００１７】
【図１】本発明に係るカラオケシステムの全体構成ブロック図である。
【図２】図１おける送信機及び受信機の第１実施形態のブロック構成図である。
【図３】図１の無線通信帯の通信チャンネルの説明図である。
【図４】無線通信帯における選択可不可チャンネル設定のフローチャートである。
【図５】送信機及び受信機の起動及び干渉波に関するフローチャートである。
【図６】図１おける送信機及び受信機の第２実施形態のブロック構成図である。
【図７】図６に対応する無線通信帯の選択可不可チャンネル設定のフローチャートである。
【発明を実施するための形態】
【００１８】
以下、本発明の実施形態を図により説明する。
図１に、本発明に係るカラオケシステムの全体構成ブロック図を示す。本発明に係るカラオケシステム１１は、カラオケ装置１２、単一の送信機１３、複数（本実施形態では４台とする）の受信機１４（１４Ａ〜１４Ｄ）及び受信機１４に対応するそれぞれの表示装置１５（１５Ａ〜１５Ｄ）を有して構成される。これらは、カラオケルームなどのカラオケ歌唱空間に設置される。
【００１９】
カラオケ装置１２は、カラオケ歌唱の基本的な構成を含み、少なくともカラオケ歌唱に際して背景映像や歌唱歌詞を表示するための歌唱映像を高精細度映像インタフェース（ＨＤＭＩ）接続する出力端子を備える。当該出力端子と上記送信機１３とはＨＤＭＩケーブル１６で有線接続される。
【００２０】
上記送信機１３は、詳細構成は図２（Ａ）で説明するが、４台の受信機１４Ａ〜１４Ｄに対してワイヤレスＨＤＭＩ接続するＨＤＭＩ分配器としての役割をなす。当該送信機１３と各受信機１４Ａ〜１４Ｄとは無線通信空間１７でデータ伝送される。当該データ伝送の形態は、ＨＤＭＩ対応の映像データ（パケットデータ）がＴＭＤＳチャンネル（データで３チャンネル、クロックで１チャンネル）で伝送される。なお、無線通信空間１７での通信チャンネルについては図３で説明する。また、図１においてＴＤＭＳチャンネルとＤＤＣチャンネルは、ＨＤＭＩのソース機器であるカラオケ装置１２とシンク機器である表示装置１５Ａ〜１５Ｄとの通信に使用される。一方、無線通信自体に関する送信機１３と受信機１４Ａ〜１４Ｄの間の情報交換は、ＨＤＭＩのチャンネルとは別の層を使用するものであり、以後、これを無線層と呼ぶ。
【００２１】
上記各受信機１４Ａ〜１４Ｄは、同一構成のもので詳細構成は図２（Ｂ）で説明するが、基本的には送信機１３から送信されてきた映像データを受信し、それぞれ対応する表示装置１５Ａ〜１５Ｄで表示させることを基本機能とする。当該各受信機１４Ａ〜１４Ｄとそれぞれ対応する表示装置１５Ａ〜１５ＤとはそれぞれＨＤＭＩケーブル１８Ａ〜１８Ｄで有線接続されるものである。
【００２２】
上記各表示装置１５Ａ〜１５Ｄは、上記楽曲選曲表示やカラオケ演奏時の背景映像（後述の設定用映像を含む）等を表示するもので、例えば液晶ディスプレイ（ＬＣＤ）、プラズマディスプレイ（ＰＤＰ）、その他種々のディスプレイを採用することができる。
【００２３】
ここで、図２に、図１おける送信機及び受信機の第１実施形態のブロック構成図を示す。図１に示す送信機１３は、図２（Ａ）に示すように、制御部２１、送信手段である無線層送受信部２２、バッファ２３、映像データ送信部２４及びＤＤＣ送受信部２５を有して構成される。なお、データを一時的に記憶し、各プログラムを展開して実行させるメモリについては図示を省略してある。
【００２４】
上記制御部２１は、送信機全体を統括的に処理制御する物理的なＣＰＵであり、格納しているプログラムに基づくアルゴリズム処理を行う。上記無線層送受信部２２は、無線通信自体に関し、ＨＤＭＩのチャンネルとは別の層を使用して送信機１３と受信機１４Ａ〜１４Ｄの間の情報交換を行うプログラム乃至電子回路である。
【００２５】
上記バッファ２３はカラオケ装置１２よりＨＤＭＩケーブルで送信されてくる歌唱の際に表示する映像データ（背景映像、歌詞データ）を一時的に蓄積しておく記憶回路である。上記映像データ送信部２４は、バッファ２３に蓄積された映像データを所定容量ごとに分割してワイヤレスＨＤＭＩ接続に対応したデータ形態（ＴＭＤＳ）で無線通信空間１７に出力するプログラム乃至電子回路である。
【００２６】
上記ＤＤＣ送受信部２５は、無線通信空間１７において、各受信機１４Ａ〜１４Ｄとの間でＤＤＣチャンネルを使用して機器構成や状態などの情報を、ＤＤＣ信号を用いて認証等を行うプログラム乃至電子回路である。
【００２７】
また、受信機１４（１４Ａ〜１４Ｄ）は、図２（Ｂ）に示すように、制御部４１、記憶部４２、映像データ受信部４３、ＤＤＣ送受信部４４、送信手段である無線層送受信部４４Ａ、設定用映像生成手段４５、操作子４６、干渉波検出手段４７、ＤＦＳチャンネル選択手段４８、映像データ出力部４９及びテーブル更新手段５０を有して構成される。また、記憶部４２にはＤＦＳチャンネルテーブル５１が記憶される。なお、データを一時的に記憶し、各プログラムを展開して実行させるメモリについては図示を省略してある。なお、テーブル編集用として一の受信機を特定している場合には、他の受信機では設定用映像生成手段４５、操作子４６が不要となる。
【００２８】
上記制御部４１は、受信機全体を統括的に処理制御する物理的なＣＰＵであり、格納しているプログラムに基づくアルゴリズム処理を行う。上記記憶部４２は、少なくともチャンネル設定用のＤＦＳチャンネルテーブル５１を記憶する領域を有する半導体メモリである。
【００２９】
当該ＤＦＳチャンネルテーブル５１は、複数のＤＦＳチャンネル（図３で説明する）について選択可不可が設定されたテーブルであり、無線通信空間１７で使用されるチャンネルを選択可能な一のＤＦＳチャンネルを選択させる情報である。
【００３０】
上記映像データ受信部４３は、送信機１３より送信されてきたＨＤＭＩ映像データを受信する電子回路であり、当該映像データを一時的に蓄えておくバッファ的な役割をもなす。上記ＤＤＣ送受信部４４は、無線通信空間１７において、送信機１３との間でＤＤＣチャンネルを使用してコマンドを受信し、機器構成や状態などの情報を送信するプログラム乃至電子回路である。
【００３１】
上記無線層送受信部４４Ａは、無線通信自体に関し、ＨＤＭＩのチャンネルとは別の層を使用して送信機１３と受信機１４Ａ〜１４Ｄの間の情報交換を行うプログラム乃至電子回路である。上記設定用映像生成手段４５は、ＤＦＳチャンネルテーブル５１を編集するためのものであって後述の操作子４６の操作が反映される設定用映像を生成するプログラムである。
【００３２】
上記操作子４６は、対応の表示装置１５に表示された設定用映像に操作が反映されるものであり、ＤＦＳチャンネルテーブル５１における複数のＤＦＳチャンネルの選択可不可を設定編集するためのカーソル移動用や決定用の簡易的な操作ボタンである。
【００３３】
上記干渉波検出手段４７は、現在使用しているＤＦＳチャンネル（第１のチャンネル）に対して気象レーダ等のレーダ波を検出する電子回路である。上記チャンネル選択手段４８は、干渉波検出手段４７が干渉波を検出した場合に、複数のチャンネル（ＤＦＳチャンネル）の中からＤＦＳチャンネルテーブル５１に基づいて第１のチャンネルとは異なる選択可能となっている第２のチャンネル（ＤＦＳチャンネル）を選択するプログラムである。当該選択に関しては図５（Ｂ）で説明する。
【００３４】
上記映像データ出力部４９は、送信機１３より送信され、上記映像データ受信部４３で受信したカラオケ用背景映像データを、ＨＤＭＩケーブルを介して対応の表示装置１５（１５Ａ〜１５Ｄ）に出力するプログラム乃至電子回路である。また、設定用映像生成手段４５でＤＦＳチャンネルテーブル５１を編集するために用いられる設定用映像データが生成される場合には、当該設定用映像データをカラオケ用背景映像データに重畳して出力する。
【００３５】
上記テーブル更新手段５０は、ＤＦＳチャンネルテーブル５１におけるチャンネル選択可不可の設定が変更されたときに当該ＤＦＳチャンネルテーブル５１の情報を更新するプログラムである。
【００３６】
また、図３に、図１の無線通信帯の通信チャンネルの説明図を示す。図３は、ワイヤレス通信に用いられる５ＧＨｚ帯の周波数割り当てを示したもので、一般的なものであり、簡単に説明する。
【００３７】
５ＧＨｚ帯では、Ｎｏｎ  ＤＦＳチャンネル（固定的周波数選択チャンネル）「Ｗ５２（５．１８〜５．２４ＧＨｚ）」とＤＦＳチャネル（動的周波数選択チャンネル）「Ｗ５３（５．２６〜５．３２ＧＨｚ）」、「Ｗ５６（５．５０〜５．７０ＧＨｚ）」がチャンネル幅２０ＭＨｚで割り当てられ、固定的周波数選択チャンネル「Ｗ５２」で４チャンネル、動的周波数選択チャンネル「Ｗ５３」で４チャンネル、「Ｗ５６」で１１チャンネルが割り当てられている。そして、「Ｗ５３」と「Ｗ５６」のＤＦＳチャンネルが干渉波の検出により自動切り替えするチャンネルの対象となるものである。
【００３８】
そこで、図４に、無線通信帯における選択可不可チャンネル設定のフローチャートを示す。ここでのチャンネル設定を行う者は、当該システムのメンテナンス等を行う者（以下、設定者という）であり、設定に使用する受信機を受信機Ａ（１４Ａ）として説明するが、いずれの受信機１４Ａ〜１４Ｄを使用しても同様である。
【００３９】
図４（Ａ）において、操作子４６を操作して各ＤＦＳチャンネルの選択可不可の設定を開始すると、設定用映像生成手段４５において当該操作子４６の操作を反映させた設定用映像信号を生成し、映像データ出力部４９において送信機１３から受信する背景映像データに重畳して、ＨＤＭＩケーブル１８Ａで接続された表示装置１５Ａに出力して表示させる（Ｓ１）。そこで、設定者は、表示装置１５Ａの表示に基づいて操作子４６を操作し、各ＤＦＳチャンネルの選択可不可が設定されるＤＦＳチャンネルテーブル５１に対して、図３に示すような各ＤＦＳチャンネルに対する選択可不可のフラグを設定編集して決定する（Ｓ２）。
【００４０】
そして、設定者によるフラグ設定の決定に応じた決定コマンドにより、各ＤＦＳチャンネルの選択可不可のフラグが設定されたＤＦＳチャンネルテーブル５１の情報を、無線層により送信機１３に送信する（Ｓ３）。
【００４１】
送信機１３では、図４（Ｂ）に示すように、受信機ＡよりＤＦＳチャンネルテーブル５１を受信すると（Ｓ１１）、制御部２１の処理に基づき、受信したＤＦＳチャンネルテーブル５１の情報を受信機Ｂ〜Ｄに対して無線層により送信する（Ｓ１２）。当該ＤＦＳチャンネルテーブル５１の情報を無線層により受信した各受信機Ｂ〜Ｄ（１４Ｂ〜１４Ｄ）では、制御部４１の処理に基づき記憶部４２に記憶されているＤＦＳチャンネルテーブル５１を更新する。
【００４２】
そして、受信機Ａは、他の受信機Ｂ〜ＤのＤＦＳチャンネルテーブル５１を上記決定内容に更新させるコマンドとリブート（再起動）コマンドとをセットで送信機１３に無線層により送信し、送信機１３はこれらのコマンドを受信機Ｂ〜Ｄに同じく無線層により送信する。受信機Ｂ〜Ｄはコマンドの受信によりＤＦＳチャンネルテーブル５１を更新してリブートし、受信機Ａはコマンドの送信を契機に自身もリブートする（Ｓ１３）。この時点でのリブート処理により、ＤＦＳチャンネルテーブルの設定編集以外の設定に対する誤動作を回避させることができるものである。
【００４３】
続いて、図５に、送信機及び受信機の起動及び干渉波に関するフローチャートを示す。図５（Ａ）は、送信機１３及び各受信機１４Ａ〜１４Ｄの起動時若しくは再起動時の動作を示したものである。ところで、複数の受信機１４Ａ〜１４Ｄの中のどの受信機が最初に送信機１３と接続するかは決まっていないものであるが、ここでは最初に送信機１３と接続し、無線層で通信を行うことができた受信機を受信機Ａとして説明する。
【００４４】
まず、各受信機Ａ〜Ｄが送信機１３に対して接続要求を発信する（Ｓ２１）。最初に接続が認められた受信機Ａ（１４Ａ）が無線層により送信機１３とペアリングを完了し、受信機Ａに接続された表示装置Ａ（１５Ａ）とカラオケ装置１２とがＨＤＭＩ接続される。これによりカラオケ装置１２は表示装置Ａの機器構成や状態（表示機器としての仕様）の情報を、ＤＤＣチャンネルを通じて受信し、カラオケ装置１２から出力するカラオケ用背景映像データの仕様を表示装置Ａに合わせて決定する。その後、他の受信機Ｂ〜Ｄも順次、カラオケ装置１２とのペアリングを完了する。この時の無線層及びワイヤレスＨＤＭＩ接続には、複数のＮｏｎ  ＤＦＳチャンネルのうち予め設定された一の通信チャンネルを使用する。カラオケ装置１２は、カラオケ用背景映像を表示装置Ａ〜Ｄに対してＴＤＭＳチャンネルで送信する（Ｓ２２）。
【００４５】
起動から所定時間（例えば、１分程度）の経過後、受信機ＡがＤＦＳチャンネルのうち、他からの干渉波が検出されずに選択可能であって、ＤＦＳチャンネルテーブル５１の選択可不可フラグが「選択可」となっているＤＦＳチャンネルを探索する（Ｓ２３）。
【００４６】
受信機Ａでは、選択可能なＤＦＳチャンネルに移行する情報を無線層により送信機１３に送信し、受信周波数を当該選択可能ＤＦＳチャンネルに設定する（Ｓ２４）。なお、電源投入時の起動ではＤＦＳチャンネルへの移行には１分程度を要するが、リブートの際は直前に使用していたＤＦＳチャンネルを記憶しているため、ＤＦＳチャンネルへの移行には１０秒程度で済むこととなる。
【００４７】
送信機１３では、受信機Ａより選択可能なＤＦＳチャンネルに移行する情報を受信し、当該情報を受信機Ｂ〜Ｄに無線層により送信し、送信周波数を当該選択可能なＤＦＳチャンネルに設定する（Ｓ２５）。そして、受信機Ｂ〜Ｄが無線層により当該選択可能なＤＦＳチャンネルに移行する情報を受信し、受信周波数を当該選択可能なＤＦＳチャンネルに設定するものである（Ｓ２６）。
【００４８】
一方、各受信機１４Ａ〜１４Ｄが起動中の場合、図５（Ｂ）に示すように、何れかの受信機１４Ａ〜１４Ｄのうち、例えば受信機Ａ（１４Ａ）において干渉波検出手段４７が干渉波を検出すると（Ｓ３１）、チャンネル選択手段４８が、ＤＦＳチャンネルのうち、ＤＦＳチャンネルテーブル５１を参照して、選択可能であって、選択可不可フラグが「選択可」となっているＤＦＳチャンネルを探索する（Ｓ３２）。そして、図５（Ａ）のＳ２４〜Ｓ２６の処理が行われるものである。
【００４９】
次に、図６に、図１おける送信機及び受信機の第２実施形態のブロック構成図を示す。図６（Ａ）において、送信機１３は、図２（Ａ）に示す構成に加えて、記憶部２６、設定用映像生成手段６１及び操作子６２を備えると共に、記憶部２６にはＤＦＳチャンネルテーブル３１が記憶されるもので、これら設定用映像生成手段６１及び操作子６２は、図２（Ｂ）に示す設定用映像生成手段４５及び操作子４６と同様である。すなわち、送信機１３においてＤＦＳチャンネルの選択可不可の設定編集を行う構成としたものである。
【００５０】
したがって、受信機１４（１４Ａ〜１４Ｄ）においては、図６（Ｂ）に示すように、図２（Ｂ）に示す設定用映像生成手段４５及び操作子４６を設けない構成であり、他の構成は図２（Ｂ）と同様である。
【００５１】
そこで、図７に、図６に対応する無線通信帯の選択可不可チャンネル設定のフローチャートを示す。図７において、送信機１３では、操作子６２を操作して各ＤＦＳチャンネルの選択可不可の設定を開始すると、設定用映像生成手段６１において当該操作子６２の操作を反映させた設定用映像信号を生成し、映像データ送信部２４にてカラオケ装置１２から受信するカラオケ用背景映像データに設定用映像データを重畳して総ての受信機Ａ〜Ｄ（１４Ａ〜１４Ｄ）にワイヤレスＨＤＭＩにおけるＴＤＭＳチャンネルで送信することにより、各受信機Ａ〜Ｄに対応する各表示装置Ａ〜Ｄ（１５Ａ〜１５Ｄ）で表示させる（Ｓ４１）。なお、ここでは総ての受信機Ａ〜Ｄに対応するそれぞれの表示装置Ａ〜Ｄに表示させる場合としたが、最初に認識した受信機（Ａ〜Ｄ）に対して設定用映像信号を出力してもよい。
【００５２】
設定者は、一の表示装置（Ａ〜Ｄ）の表示に基づいて操作子６２を操作し、各ＤＦＳチャンネルの選択可不可が設定されるＤＦＳチャンネルテーブル３１に対して、図３に示すような各ＤＦＳチャンネルの選択可不可のフラグを設定編集して決定する（Ｓ４２）。
【００５３】
設定者によるフラグ設定の決定に応じた決定コマンドにより、各ＤＦＳチャンネルの選択可不可のフラグが設定されたＤＦＳチャンネルテーブル３１の情報を、無線層により各受信機Ａ〜Ｄに送信する（Ｓ４３）。当該ＤＦＳチャンネルテーブル３１を無線層で受信した各受信機Ａ〜Ｄ（１４Ａ〜１４Ｄ）では、制御部４１の処理に基づき記憶部４２に記憶されているＤＦＳチャンネルテーブル５１を更新する。
【００５４】
そして、送信機１３は、ＤＦＳチャンネルテーブル５１の更新コマンドと共に、総ての受信機Ａ〜Ｄのリブート（再起動）コマンドを無線層により送信するものである（Ｓ４４）。
【００５５】
このように、送信機１３と複数の受信機１４Ａ〜１４Ｄを用いて、カラオケ装置１２と複数の表示装置１５Ａ〜１５Ｄを無線によりＨＤＭＩで接続する際に、容易に複数のチャンネルの選択可不可を設定することができると共に、一度の設定で他の全機器の設定を完了させることができるものである。
【００５６】
また、受信機１４Ａ〜１４Ｄにおいて、ＤＦＳチャンネルテーブル５１を少なくとも使用しているＤＦＳチャンネル（第１のチャンネル）を選択可能から選択不可に編集した場合に、当該ＤＦＳチャンネルテーブル５１の情報が送信機１３より他の受信機に送信され、受信機が記憶しているＤＦＳチャンネルテーブル５１が更新された後に、総ての受信機１４Ａ〜１４Ｄを再起動させることにより、選択不可であるＤＦＳチャンネルの使用を確実に避けることができるものである。
【産業上の利用可能性】
【００５７】
本発明のカラオケシステムは、カラオケ歌唱に際して背景映像等を表示するカラオケの基本的機能を備えるカラオケシステムの産業分野に利用可能である。
【符号の説明】
【００５８】
１１            カラオケシステム
１２            カラオケ装置
１３            送信機
１４            受信機
１５            表示装置
１６，１８      映像伝送ケーブル
１７            無線通信空間
２１，４１      制御部
２２，４４Ａ    無線層送受信部
２４            映像データ送信部
２５，４４      ＤＤＣ送受信部
２６，４２      記憶部
３１，５１      ＤＦＳチャンネルテーブル
４３            映像データ受信部
４５，６１      設定用映像生成手段
４６，６２      操作子
４７            ＤＦＳチャンネル選択手段
５０            テーブル更新手段
【図１】
0006315473.tif 000002
【図２】
0006315473.tif 000003
【図３】
0006315473.tif 000004
【図４】
0006315473.tif 000005
【図５】
0006315473.tif 000006
【図６】
0006315473.tif 000007
【図７】
0006315473.tif 000008